(57)【特許請求の範囲】
【請求項１】
バッテリポストに接続されるクランプ部と、電線に接続される電線接続部とを備えたバッテリーターミナルに対して装着されるものであって、
前記電線接続部を包囲する筒状の包囲部と、前記クランプ部の上方及び側方を覆うカバー部とを備え、
前記包囲部が、前記電線接続部をその軸線と直交する方向に収容し得るように開口する収容部と、この収容部に対しその開口を開放させる開放姿勢とその開口を塞ぐように嵌合される閉塞姿勢との間での変位を可能とされた蓋部とから構成され、前記蓋部が閉塞姿勢となった状態では前記包囲部が前記電線接続部を全周に亘って包囲するようになっており、
前記カバー部が、前記クランプ部を露出させる露出姿勢と前記クランプ部を覆う保護姿勢との間での変位を可能とされているバッテリーターミナルの保護カバーにおいて、
前記蓋部と前記カバー部には、前記カバー部を前記露出姿勢から前記保護姿勢へ変位させる過程において、前記蓋部が前記収容部に対して正規の閉塞姿勢に組み付けられているときには非干渉であり、前記蓋部が正規の閉塞姿勢に至らない不正組付け状態のときに互いに干渉する干渉部が設けられていることを特徴とするバッテリーターミナルの保護カバー。
【請求項２】
前記カバー部はその側壁と平行に回動し得るように前記収容部に支持され、前記蓋部は、前記収容部に対して回動可能に支持されているとともに、前記カバー部の側壁の回動経路を外側から内側へ横切るように回動変位することで前記閉塞姿勢に至る構成とされていることを特徴とする請求項１記載のバッテリーターミナルの保護カバー。
【請求項３】
前記露出姿勢にある前記カバー部の前記干渉部と前記閉塞姿勢にある前記蓋部の前記干渉部とが互いに近接して位置される構成としたことを特徴とする請求項１又は請求項２記載のバッテリーターミナルの保護カバー。
【請求項４】
前記蓋部が前記収容部に対して回動可能に支持され、その蓋部における回動中心とは反対側の端部に前記干渉部が配されていることを特徴とする請求項１乃至請求項３のいずれかに記載のバッテリーターミナルの保護カバー。
【発明の詳細な説明】
【０００１】
【発明の属する技術分野】
本発明は、バッテリーターミナルの保護カバーに関するものである。
【０００２】
【従来の技術】
従来、バッテリーターミナルの保護カバーとして、特開平７−８５８５８号公報に開示されているものがある。これは、バッテリポストに接続されるクランプ部と、電線を接続する電線接続部とを備えたバッテリーターミナルに対して装着されるようにしたものであって、電線接続部を全周に亘って包囲する筒状の包囲部と、クランプ部の上方及び側方を覆うカバー部とを備えている。包囲部は、電線接続部をその軸線と直交する方向に収容し得るように開口する収容部と、この収容部に対しその開口を開放させる姿勢とその開口を塞ぐ姿勢との間で傾動変位する蓋部とから構成されている。また、カバー部は、収容部に対し、クランプ部を露出させる姿勢とクランプ部を覆う姿勢との間で傾動変位する。
【０００３】
【発明が解決しようとする課題】
電線接続部を包囲する筒状の包囲部は、収容部と蓋部との分割構造とすることによって電線接続部の収容作業性の向上を望むことができる。しかし、その反面、蓋部が収容部に対して完全に組み付けられていない状態が看過されてしまうと、その収容部と蓋部との隙間から包囲部内に異物が侵入して電線接続部に接触する虞がある。
本願発明は上記事情に鑑みて創案され、収容部の開口を蓋部で閉じる構造の包囲部を有する保護カバーにおいて、蓋部が収容部に確実に組み付けられているか否かを検知できるようにすることを目的としている。
【０００４】
【課題を解決するための手段】
請求項１の発明は、バッテリポストに接続されるクランプ部と、電線に接続される電線接続部とを備えたバッテリーターミナルに対して装着されるものであって、前記電線接続部を包囲する筒状の包囲部と、前記クランプ部の上方及び側方を覆うカバー部とを備え、前記包囲部が、前記電線接続部をその軸線と直交する方向に収容し得るように開口する収容部と、この収容部に対しその開口を開放させる開放姿勢とその開口を塞ぐように嵌合される閉塞姿勢との間での変位を可能とされた蓋部とから構成され、前記蓋部が閉塞姿勢となった状態では前記包囲部が前記電線接続部を全周に亘って包囲するようになっており、前記カバー部が、前記クランプ部を露出させる露出姿勢と前記クランプ部を覆う保護姿勢との間での変位を可能とされているバッテリーターミナルの保護カバーにおいて、前記蓋部と前記カバー部には、前記カバー部を前記露出姿勢から前記保護姿勢へ変位させる過程において、前記蓋部が前記収容部に対して正規の閉塞姿勢に組み付けられているときには非干渉であり、前記蓋部が正規の閉塞姿勢に至らない不正組付け状態のときに互いに干渉する干渉部が設けられている構成とした。
【０００５】
請求項２の発明は、請求項１の発明において、前記カバー部はその側壁と平行に回動し得るように前記収容部に支持され、前記蓋部は、前記収容部に対して回動可能に支持されているとともに、前記カバー部の側壁の回動経路を外側から内側へ横切るように回動変位することで前記閉塞姿勢に至る構成とした。
請求項３の発明は、請求項１又は請求項２の発明において、前記露出姿勢にある前記カバー部の前記干渉部と前記閉塞姿勢にある前記蓋部の前記干渉部とが互いに近接して位置される構成とした。
【０００６】
請求項４の発明は、請求項１乃至請求項３のいずれかの発明において、前記蓋部が前記収容部に対して回動可能に支持され、その蓋部における回動中心とは反対側の端部に前記干渉部が配されている構成とした。
【０００７】
【発明の作用及び効果】
［請求項１の発明］
蓋部が収容部に対して正規の組付け状態になっているか否かは、カバー部を保護姿勢へ変位させる際に、干渉部が干渉するか否かによって検出することができる。
【０００８】
［請求項２の発明］
蓋部が不正な組付け状態のときにカバー部を回動変位させると、そのカバー部の側壁が蓋部と干渉する。蓋部が正規の閉塞姿勢に組み付けられてカバー部が保護姿勢となった状態では、カバー部の側壁が蓋部の外側に位置してその蓋部が開放姿勢に向かって外側へ変位することを規制する。
［請求項３の発明］
露出姿勢にあるカバー部を保護姿勢側へ変位させる際に、蓋部が不正組付け状態であるときには、カバー部の変位を開始した直後に干渉部同士が干渉するので、カバー部を無駄に大きく回動させずに済む。
【０００９】
［請求項４の発明］
蓋部の干渉部は回動中心と反対側の端部に位置するので、不正組付け状態と正規組付け状態との間における干渉部のずれ量が大きく、不正組付け状態のときにはカバー部の干渉部が蓋部の干渉部に確実に当接することができる。
【００１０】
【発明の実施の形態】
［実施形態１］
以下、本発明を具体化した実施形態１を図１乃至図１０を参照して説明する。まず、バッテリーターミナル１０について説明すると、バッテリーターミナル１０は、所定形状の導電性金属板材を曲げ加工して成形され、軸線を上下方向とする円弧状のクランプ部１１と、このクランプ部１１の周方向両端から前方に延出する左右一対の締付け板部１２と、クランプ部１１から連結部１３を介して後方へ連成された電線接続部１４とからなる。クランプ部１１は上方に向かって径が小さくなるようなテーパ状をなし、両締付け板部１２のボルト孔１５にボルト（図示せず）を貫通させてその貫通部分に螺合したナット（図示せず）とボルトの六角頭部との間で両締付け板部１２を接近させると、クランプ部１１が縮径変形してバッテリポスト１６の外周に対して締め付けて固定され、もってバッテリーターミナル１０とバッテリポスト１６とが導通可能に接続されるようになっている。また、電線接続部１４には、電線１７の端末部が圧着により接続されている。
【００１１】
次に、このバッテリーターミナル１０に取り付けられる保護カバー２０について説明する。保護カバー２０は、合成樹脂材料からなり、バッテリーターミナル１０の電線接続部１４を包囲する角筒状の包囲部２１と、クランプ部１１及び締付け板部１２の上方、前方及び左右両側方を覆うカバー部３７とを備えている。尚、以下の保護カバー２０の説明において、その保護カバー２０の前後及び上下の方向については上記バッテリーターミナル１０に取り付けられた状態を基準とする。
【００１２】
包囲部２１は、収容部２２に蓋部３２をヒンジ３３を介して回動可能に一体形成したものである。収容部２２は、左側壁２４の上縁及び下縁から上面壁２５及び下面壁２６を直角に延出させることにより前方から視て略コ字形としたものであり、収容部２２の右側面は前面に亘って外部に開放された開口２７となっている。上記バッテリーターミナル１０は、その長さ方向（前後方向であって電線接続部１４に接続された電線１７の軸線と平行な方向）と直交する横向き方向に移動させつつ、開口２７から収容部２２内に収容されるようになっている。
【００１３】
また、上面壁２５と下面壁２６の前端縁同士の間には、左側壁２４に連なる隔壁２８が形成されているとともに、隔壁２８の上端部近くには、バッテリーターミナル１０の連結部１３を通過させるための水平なスリット２９が右方に開口して形成されている。収容部２２における隔壁２８よりも後方の内部空間は、電線接続部１４を収容するための収容空間３０となっている。また、上面壁２５の内面における右端縁には、前後一対のロック突起３１Ｆ，３１Ｒが形成されている。
【００１４】
蓋部３２は、板状をなし、収容部２２の下面壁２６の右側縁に沿って前後方向に配されたヒンジ３３を介して収容部２２に連結され、この前後方向のヒンジ３３を支点として前後方向と直交する二次元方向に沿って回動可能に支持されている。この蓋部３２は、収容部２２の右側面全体に亘って開放された開口２７を閉塞して包囲部２１の左側壁２４を構成する閉塞姿勢（図１，４，５，８を参照）と、この閉塞姿勢に対して１８０°反転して収容部２２の下方へ延出する形態となる開放姿勢（図３，６，９を参照）との間で回動可能となっている。閉塞姿勢にあるときの蓋部３２の姿勢、位置及び形状は、収容部２２の左側壁２４に対して左右対称な関係となる。また、収容部２２の左側壁２４の前端部と蓋部３２の前端部は、蓋部３２が閉塞姿勢となった状態において互いに左右対称な関係となる弧状の保持部３４となっている。この保持部３４には、クランプ部１１の後側部分が当接されることで遊動規制されるようになっている。
【００１５】
蓋部３２における回動中心とは反対側の端部（閉塞姿勢においては上端部となり、開放姿勢においては下端部となる）には、収容部２２のロック突起３１Ｆ，３１Ｒと係止可能な前後一対のロック片３５Ｆ，３５Ｒが形成されている。このロック片３５Ｆ，３５Ｒとロック突起３１Ｆ，３１Ｒとは、蓋部３２が正規の閉塞姿勢となったときに係合し、この係合によって蓋部３２が閉塞姿勢にロックされる。
【００１６】
また、蓋部３２には、前後方向において前側のロック片３５Ｆと対応して位置するように干渉部３６が形成されている。この干渉部３６は、蓋部３２が正規の閉塞姿勢に組み付けられないときに、カバー部３７の干渉部４１と干渉することにしたものであり、蓋部３２における回動中心（ヒンジ３３）と反対側の端縁から内側（蓋部３２が閉塞姿勢にあるときに収容部２２の左側壁２４に向かう方向）に突出した形態となっている。かかる干渉部３６は、蓋部３２が閉塞姿勢になったときに上面壁２５の上面（外面）に沿うように位置する。尚、このときに、前側のロック片３５Ｆは上面壁２５の内面に沿うように位置し、このロック片３５Ｆと干渉部３６との間で上面壁２５の右端部が上下に挟まれるようになる。
【００１７】
カバー部３７は、上面壁３８の前端縁及び左右両側縁から、夫々、前面壁３９Ｆ及び左右両側壁３９Ｌ，３９Ｒを下方へ直角に延出させた下面開放の箱状をなし、収容部２２に対してヒンジ４０を介して回動可能に連結されている。ヒンジ４０は、上面壁３８の上面（外面）に左右方向（蓋部３２のヒンジ３３と直交する方向であって、バッテリポスト１６の上下の軸線方向に対して直交する方向）に沿って形成され、カバー部３７は、このヒンジ４０を支点として、クランプ部１１を露出させる露出姿勢（図３，４，６，７，８，９を参照）とクランプ部１１を覆い隠す保護姿勢（図１，１０を参照）との間で回動する。また、前後方向におけるヒンジ４０の位置は、蓋部３２の干渉部３６よりも後方とされている。また、回動方向はカバー部３７の右側壁３９Ｒと平行となっている。
【００１８】
カバー部３７が露出姿勢にある状態では、カバー部３７の上面壁３８が収容部２２の上面壁２５に対して直角方向上向きに立ち上がるとともに、側方から視ると左右両側壁３９Ｌ，３９Ｒの後端縁が収容部２２の上面壁２５よりも僅かに高い位置となる。また、この露出姿勢からカバー部３７を前方へ倒すように９０°回動させると保護姿勢となり、保護姿勢の状態では、カバー部３７の上面壁３８、前面壁３９Ｆは及び左右両側壁３９Ｌ，３９Ｒが、夫々、クランプ部１１の上方、前方及び左右両側方に位置してクランプ部１１がバッテリー（図示せず）の上面対応する下面側を除いて覆い隠される。また、保護姿勢の状態では、カバー部３７の両側壁３９Ｌ，３９Ｒは、包囲部２１の左側壁２４及び蓋部３２の外面に対して近接して対応する。
【００１９】
かかるカバー部３７には、上記蓋部３２の干渉部３６と協動することによって蓋部３２の不正組付けを検知するための干渉部４１が形成されている。この干渉部４１は、閉塞姿勢となったときの蓋部３２と対応するように右側壁３９Ｒの後端縁に形成され、その縁部から内側へ突出した形態となっている。また、蓋部３２が正しく組み付けられて正規の閉塞姿勢となるとともにカバー部３７が露出姿勢で待機している状態では、カバー部３７の干渉部４１は、蓋部３２の干渉部３６に対し僅かに上方であり且つ僅かに外側に位置する（図８を参照）。
【００２０】
ここで、蓋部３２の回動経路とカバー部３７の回動経路との関係を説明すると、カバー部３７の右側壁３９Ｒ及び干渉部４１の回動経路は、右側壁３９Ｒと平行であって前後及び上下方向の二次元平面と平行な経路であるとともに、蓋部３２の回動経路は、その蓋部３２の壁面と直交する方向を周方向とする半円弧状の経路であり、したがって、蓋部３２は、カバー部３７の右側壁３９Ｒ及び干渉部４１の回動経路を概ね左右方向に横切るように回動することになる。そして、蓋部３２が開放姿勢から閉塞姿勢へ回動する過程においては、閉塞姿勢に至る直前では、蓋部３２はカバー部３７の右側壁３９Ｒ及び干渉部４１の回動経路をその外側から内側へ横切るように回動変位することで閉塞姿勢に至る。また、蓋部３２が正規の閉塞姿勢に至らずにその直前の不正組付け状態で回動を停止したときには、蓋部３２の干渉部３６がカバー部３７の右側壁３９Ｒ及び干渉部４１の回動経路内に位置することになる。
【００２１】
次に、本実施形態の作用を説明する。
バッテリーターミナル１０に保護カバー２０を取り付ける際には、まず、カバー部３７を露出姿勢に待機させるとともに蓋部３２を開放姿勢に待機させ、この状態でバッテリーターミナル１０の電線接続部１４を収容部２２内に収容するとともに、クランプ部１１の後半部分を保持部３４に嵌合させる。次に、蓋部３２を開放姿勢から閉塞姿勢への回動変位させ、ロック片３５Ｆ，３５Ｒとロック突起３１Ｆ，３１Ｒの係合によってロック状態とし、角筒状の包囲部２１を形成する。この包囲部２１により電線接続部１４がその全周に亘って包囲される。このとき、クランプ部１１は、収容部２２の前方に露出された状態である。この後、露出姿勢で待機しているカバー部３７を前方へ倒すように回動させて保護姿勢とすれば、露出していたクランプ部１１が覆い隠される。以上により、バッテリーターミナル１０に対する保護カバー２０の取付けが完了する。
【００２２】
カバー部３７を保護姿勢へ回動させる際に、蓋部３２が正規の組付け状態となっている場合には、蓋部３２の干渉部３６はカバー部３７の右側壁３９Ｒ及び干渉部４１の回動経路よりも幅方向内側に位置しているので、双方の干渉部３６，４１は非干渉となる。これに対し、蓋部３２の組付けが不完全であって正規の閉塞姿勢に至っていない場合（図７を参照）には、蓋部３２の干渉部３６がカバー部３７の右側壁３９Ｒ及び干渉部４１の回動経路内に位置するので、露出姿勢のカバー部３７を保護姿勢へ回動させる操作を開始した直後に双方の干渉部３６，４１が当接し、それ以上のカバー部３７の回動操作が規制される。このように、カバー部３７の露出姿勢から保護姿勢への回動操作が可能か不能かに基づいて、収容部２２に対する蓋部３２の組付け状態が判る。
【００２３】
上述のように本実施形態によれば、蓋部３２とカバー部３７に、カバー部３７を露出姿勢から保護姿勢へ変位させる過程において、蓋部３２が収容部２２に対して正規の閉塞姿勢に組み付けられているときには非干渉であり、蓋部３２が正規の閉塞姿勢に至らない不正組付け状態のときに互いに干渉する干渉部３６，４１が設けられているので、蓋部３２が収容部２２に対して正規の組付け状態になっているか否かは、カバー部３７を保護姿勢へ変位させる際に、干渉部３６，４１が干渉するか否かによって検出することができる。
【００２４】
また、蓋部３２が正規の閉塞姿勢に組み付けられてカバー部３７が保護姿勢となった状態では、カバー部３７の右側壁３９Ｒが蓋部３２の外側に位置してカバー部３７の干渉部４１が蓋部３２の外側面に当接又は接近して対向するようになっているので、閉塞姿勢にある蓋部３２はカバー部３７の干渉部４１によって開放姿勢への回動変位を阻止される。
また、露出姿勢にあるカバー部３７の干渉部４１と閉塞姿勢にある蓋部３２の干渉部３６とが互いに近接して位置するようにしているので、露出姿勢にあるカバー部３７を保護姿勢側へ変位させる際に、蓋部３２が不正組付け状態であるときには、カバー部３７の変位を開始した直後に干渉部３６，４１同士が干渉する。したがって、カバー部３７を無駄に大きく回動させずに済む。
【００２５】
また、蓋部３２は収容部２２に対して回動可能に支持され、その蓋部３２における回動中心とは反対側の端部に干渉部３６が配されているので、不正組付け状態と正規組付け状態との間における干渉部３６のずれ量（カバー部３７の右側壁３９Ｒ及び干渉部４１の回動経路を横切る方向のずれ量）が大きくなる。これにより、不正組付け状態のときにはカバー部３７の干渉部４１を蓋部３２の干渉部３６に確実に当接するようになっている。
【００２６】
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態では包囲部がヒンジを介して一体化された収容部と蓋部とから構成されているが、本発明によれば、収容部と蓋部とを互いに別体の部品とし、その双方を組み付けることで包囲部を構成するようにしてもよい。
【００２７】
（２）上記実施形態ではカバー部が包囲部に対してヒンジを介して一体化されていたが、本発明によれば、カバー部と包囲部とを別体部品として互いに組み付けるようにしてもよい。
（３）上記実施形態では蓋部が不正組付け状態のときには、カバー部の干渉部が蓋部の干渉部に突き当たってそれ以上のカバー部の回動変位を規制する構造としたが、本発明によれば、蓋部とカバー部に、カバー部が保護姿勢に至る過程で、互いに係合することにより不正組付け状態の蓋部を正規の閉塞姿勢へ強制的に押動変位させる姿勢矯正部を設けてもよい。
【００２８】
（４）上記実施形態ではカバー部がヒンジを介して収容部に支持されていたが、本発明によれば、カバー部を収容部に対してスライド可能に支持する構造としてもよい。
【図面の簡単な説明】
【図１】実施形態１の保護カバーの斜視図
【図２】バッテリーターミナルの斜視図
【図３】蓋部を開放姿勢とし、カバー部を露出姿勢とした状態の斜視図
【図４】蓋部を閉塞姿勢とし、カバー部を露出姿勢とした状態の斜視図
【図５】カバー部を露出姿勢から保護姿勢へ回動する途中の状態を示す斜視図
【図６】蓋部を開放姿勢とし、カバー部を露出姿勢とした状態の正面図
【図７】蓋部が不正な組付け状態となっているときの正面図
【図８】蓋部が正規の組付け状態となっているときの正面図
【図９】蓋部を開放姿勢とし、カバー部を露出姿勢とした状態の左側面図
【図１０】バッテリーターミナルに保護カバーを取り付けた状態を示す一部切欠側面図
【符号の説明】
１０…バッテリーターミナル
１１…クランプ部
１４…電線接続部
１７…電線
２０…保護カバー
２１…包囲部
２２…収容部
３２…蓋部
３６…蓋部の干渉部
３３…ヒンジ（蓋部の回動中心）
３７…カバー部
４１…カバー部の干渉部
３９Ｒ…カバー部の右側壁
【図１】
0003608477.tif 000002
【図２】
0003608477.tif 000003
【図３】
0003608477.tif 000004
【図４】
0003608477.tif 000005
【図５】
0003608477.tif 000006
【図６】
0003608477.tif 000007
【図７】
0003608477.tif 000008
【図８】
0003608477.tif 000009
【図９】
0003608477.tif 000010
【図１０】
0003608477.tif 000011